(57)【要約】  本発明に係る携帯型電子機器は、筐体１２にディスプレイ４を配備して構成され、筐体１２には、筐体１２が水没状態であることを検知するための圧力センサー８と、ディスプレイ４による画像表示を制御する制御手段とが配備され、圧力センサー８によって筐体１２が非水没状態から水没状態に移行したことが検知されたとき、前記制御手段は、非水没状態で表示すべき通常の画像から水没時の画像に切り換える。
2009041607.tif 000002
【特許請求の範囲】
【請求項１】
筐体にディスプレイを配備して構成される携帯型電子機器において、筐体には、筐体が水没状態であることを検知する水没検知手段と、前記ディスプレイによる画像表示を制御する制御手段とが配備され、前記水没検知手段によって筐体が非水没状態から水没状態に移行したことが検知されたとき、前記制御手段は、非水没状態で表示すべき通常の画像から水没時の画像に切り換えることを特徴とする携帯型電子機器。
【請求項２】
前記水没検知手段は圧力センサーによって構成され、前記制御手段は、該圧力センサーの検知信号に基づいて水深を測定し、水没時の画像として水深に応じた画像をディスプレイに表示する請求項１に記載の携帯型電子機器。
【請求項３】
筐体には水温を測定する温度センサーが配備され、前記制御手段は、水没時の画像として水温に応じた画像をディスプレイに表示する請求項１又は請求項２に記載の携帯型電子機器。
【請求項４】
筐体には筐体の位置を表わす位置情報を取得する位置情報取得手段が配備され、前記制御手段は、水没時の画像として筐体が位置する地域に応じた画像をディスプレイに表示する請求項１に記載の携帯型電子機器。
【請求項５】
更に筐体には、基地局を通じてサーバーと無線通信を行なう通信手段が配備され、前記制御手段は、筐体が位置する地域に応じた画像を前記サーバーからダウンロードし、水没時にはダウンロードした画像をディスプレイに表示する請求項４に記載の携帯型電子機器。
【請求項６】
前記筐体が位置する地域に応じた画像として、前記地域のニュースの画像、前記地域の天気予報の画像、前記地域の警報の画像、前記地域の時刻の画像、前記地域の水中の安全地帯の情報の画像、及び、前記地域の水中の危険地帯の情報の画像の内、少なくとも何れか１つの画像を含む請求項４に記載の携帯型電子機器。
【発明の詳細な説明】
【技術分野】
【０００１】
本発明は、携帯電話機、デジタルカメラ等の携帯型電子機器に関し、例えば所持することの楽しさを増大させ、利便性を向上させることの出来る携帯型電子機器に関するものである。
【背景技術】
【０００２】
従来、携帯電話機においては、小型の筐体にディスプレイが配備されており、待ち受け状態ではディスプレイに所定の待ち受け画像を表示することが行なわれている。
待ち受け画像としては、予めデフォルトとして設定されている複数種類の壁紙画像から選択し、或いはユーザがサーバーからダウンロードした画像やユーザがカメラで撮影した画像が設定されており、この様なバラエティに富んだ待ち受け画像の表示によって、携帯電話機を所持することの楽しさが増すことになる。【０００３】
又、ＧＰＳ機能を利用して携帯電話機が存在する地域を検知し、地域に応じて異なる待ち受け画像をディスプレイに表示する携帯電話機が提案されている(例えば日本国公開特許公報２００４−３０４３４０号)。該携帯電話機によれば、地域の特色を表わす待ち受け画像が表示されるので、特に旅行等の移動時に携帯電話機を所持することの楽しさが増すことになる。
【発明の開示】
【発明が解決しようとする課題】
【０００４】
ところで、携帯電話機においては、日常の使用状態では充分な機能を発揮する防水対策が施されており、場合によっては数メートル程度の水深であっても防水効果が得られるが、携帯電話機が非水没状態から水没状態に移行したとしても、ディスプレイに表示されている待ち受け画像に変化はなく、その点において、従来の携帯電話機は面白さや利便性に欠ける欠点があった。
そこで、本発明の目的は、従来よりも所持することの楽しさを増大させることが出来る携帯型電子機器を提供することである。
更に本発明の他の目的は、従来よりも利便性を向上させることが出来る携帯型電子機器を提供することである。
【課題を解決するための手段】
【０００５】
本発明に係る携帯型電子機器においては、筐体に、ディスプレイと、筐体が水没状態であることを検知する水没検知手段と、前記ディスプレイによる画像表示を制御する制御手段とが配備され、前記水没検知手段によって筐体が非水没状態から水没状態に移行したことが検知されたとき、前記制御手段は、非水没状態で表示すべき通常の画像から水没時の画像に切り換える。【０００６】
上記本発明の携帯型電子機器によれば、筐体が非水没状態から水没状態に移行したとき、ディスプレイに表示されている画像(待ち受け画像)が水没時の画像に切り替わり、その状態の変化を楽しむことが出来ると共に、適切な画像が表示されることによって、ユーザの利便性を向上させることが出来る。【０００７】
具体的には、前記水没検知手段は圧力センサーによって構成され、前記制御手段は、該圧力センサーの検知信号に基づいて水深を測定し、水没時の画像として水深に応じた画像をディスプレイに表示する。
該具体的構成によれば、水没時には、水深に応じた画像がディスプレイに表示されるので、画像によって水深の変化を楽しむことが出来ると共に、水深に応じて適切な画像が表示されることにより、ユーザの利便性を向上させることが出来る。【０００８】
又、具体的構成において、筐体には水温を測定する温度センサーが配備され、前記制御手段は、水没時の画像として水温に応じた画像をディスプレイに表示する。
該具体的構成によれば、水没時には、水温に応じた画像がディスプレイに表示されるので、水没時の画像表示がよりバラエティに富んだものとなると共に、水温に応じて適切な画像が表示されることにより、ユーザの利便性を向上させることが出来る。【０００９】
他の具体的な構成において、筐体には筐体の位置を表わす位置情報を取得する位置情報取得手段が配備され、前記制御手段は、水没時の画像として筐体が位置する地域に応じた画像をディスプレイに表示する。
該具体的構成によれば、水没時には、携帯型電子機器を所持している地域に応じた画像が表示されるので、その表示画像から、地域の特色等、地域と関連する情報を取得することが出来る。【００１０】
更に具体的な構成において、筐体には、基地局を通じてサーバーと無線通信を行なう通信手段が配備され、前記制御手段は、筐体が位置する地域に応じた画像を前記サーバーからダウンロードし、水没時にはダウンロードした画像をディスプレイに表示する。
該具体的構成によれば、水没時に表示すべき画像として、地域毎にサーバーに登録されている画像がダウンロードされるので、サーバー側で登録画像を更新することにより、多様な画像表示を楽しむことが出来ると共に、地域に応じた適切な画像を表示することが出来、これによってユーザの利便性を向上させることが出来る。【００１１】
更に具体的な構成において、前記筐体が位置する地域に応じた画像として、前記地域のニュースの画像、前記地域の天気予報の画像、前記地域の警報の画像、前記地域の時刻の画像、前記地域の水中の安全地帯の情報の画像、及び、前記地域の水中の危険地帯の情報の画像の内、少なくとも何れか１つの画像を含んでいる。
該具体的構成によれば、水没時に表示する画像であって、筐体が位置する地域に応じた画像として、その地域のニュースの画像、その地域の天気予報の画像、その地域の警報の画像、その地域の時刻の画像、その地域の水中の安全地帯の情報の画像、及び、その地域の水中の危険地帯の情報の画像の内、少なくとも１つの画像を含むため、ユーザに更に多様な画像を提供することが出来、ユーザを楽しませると共に、利便性を向上させることが出来る。
【発明の効果】
【００１２】
本発明に係る携帯型電子機器によれば、非水没状態から水没状態への移行に伴ってディスプレイの表示画像が変化するので、従来よりも所持することの楽しさが増大することとなる。
又、本発明に係る携帯型電子機器によれば、従来よりも利便性を向上させることが出来る。
【図面の簡単な説明】
【００１３】
【図１】図１は本発明に係る携帯型電子機器の一実施形態である携帯電話機の外観を示す斜視図である。
【図２】図２は本発明に係る携帯型電子機器の一実施形態である携帯電話機の電気的な構成を表わすブロック図である。
【図３】図３は本発明に係る携帯型電子機器の一実施形態である携帯電話機の水没時に表示すべき画像の切り換えテーブルを表わす図表である。
【図４】図４は本発明に係る携帯型電子機器の一実施形態である携帯電話機における画像表示手続きを表わすフローチャートである。
【符号の説明】
【００１４】
(12)  筐体
(１)  制御回路
(４)  ディスプレイ
(５)  メモリ
(６)  ＧＰＳアンテナ
(７)  温度センサー
(８)  圧力センサー
(９)  基地局
(10)  サーバー
【発明を実施するための最良の形態】
【００１５】
以下、本発明に係る携帯型電子機器を携帯電話機に実施した形態につき、図面に沿って具体的に説明する。
本発明に係る携帯型電子機器の一実施形態である携帯電話機は、図１に示す如く折り畳み可能な筐体(12)を具え、筐体(12)の内面には、ディスプレイ(４)と複数の操作キー(13)が配備されている。
又、筐体(12)の端部には、筐体(12)の表面から僅かに凹んだ位置に、温度センサー(７)と圧力センサー(８)が配備されている。
尚、筐体(12)は防水構造を有し、数メートル程度の水深では故障の虞はない。【００１６】
図２は、本発明に係る携帯型電子機器の一実施形態である携帯電話機の電気的な構成を表わしており、マイクロコンピュータからなる制御回路(１)には、電話通信のためのアンテナ(２)と、受話部となるスピーカ(３)と、前記のディスプレイ(４)と、後述の如く複数の画像が格納されているメモリ(５)と、位置情報を取得するためのＧＰＳアンテナ(６)と、水温を測定するための温度センサー(７)と、水圧を測定するための圧力センサー(８)とが接続されている。
一方、各地域には、電話通信のためのアンテナ(11)を具えた基地局(９)が配備され、該基地局(９)には、サーバー(10)が接続されている。該サーバー(10)には、地域毎に特色を有する画像が登録されている。【００１７】
上記携帯電話機のメモリ(５)には、図３に示す如く水没時に表示すべき画像として、ユーザ設定が「デフォルト」、「ユーザ設定画面」、或いは「地域取得」の何れであるか、そして水温が「低温」であるか「高温」であるかに応じ、水深によって異なる複数の画像が登録されている。
例えば、水没時の画像としては、水深の浅いところでは、魚等の水中生物の泳いでいる様子を表わす画像を表示し、水深の深いところでは、珊瑚等の海底の画像を表示することが出来る。画像としては、静止画に限らず、動画であってもよい。【００１８】
ユーザ設定が「デフォルト」の場合の画像(デフォルト１)〜(デフォルト８)は、水深及び水温に応じて予め設定されているデフォルトの画像である。又、ユーザ設定が「ユーザ設定画面」の場合の画像(ユーザー１)〜(ユーザー８)は、ユーザが水深及び水温に応じて予め登録した画像である。
これ対し、ユーザ設定が「地域取得」の場合の画像(ＤＬ１)〜(ＤＬ８)は、携帯電話機が存在する地域に応じて、陸上での使用時に予め基地局(９)のサーバー(10)からダウンロードされたものである。例えば地域特有の水中生物の画像がダウンロードされる。【００１９】
図４は、上記携帯電話機における画像表示の手続きを表わしている。尚、図４に示される各ステップの動作は、図２に示される制御回路(１)がメモリ(５)等に記憶されるプログラムと協働することにより実現される。
電源が投入されると、先ずステップＳ１にて、通信相手の基地局(９)に変更があったかどうかによって携帯電話機が存在する地域が変化し、或いは、例えばタイマーに設定されている１時間程度の所定時間が経過したか否かを判断し、ここでイエスと判断されたとき、ステップＳ２に移行して、ＧＰＳアンテナ(６)によって位置情報を取得する。【００２０】
次に、ステップＳ３では、圧力センサー(８)によってそのときの圧力を検知し、ステップＳ４では、圧力センサー(８)の検知信号に基づいて水没状態にあるか否かを判断する。検知された圧力が１気圧以下の場合は、非水没状態であると判断し、ステップＳ５に移行して、通常の待ち受け画像を表示する。【００２１】
一方、検知された圧力が１気圧を越えているときは、本実施形態の携帯電話機は水没状態であると判断し、ステップＳ６に移行して、温度センサー(７)によって水温を検知する。続いて、ステップＳ７では、本実施形態の携帯電話機は、ユーザ設定が「デフォルト」、「ユーザ設定画面」、或いは「地域取得」の何れであるか、圧力センサー(８)の検知信号に基づいて検知される水深が０−１(ｍ)、１−２(ｍ)、２−３(ｍ)又は３−４(ｍ)の何れであるか、温度センサー(７)の検知信号に基づいて検知される水温が「低温」又は「高温」の何れであるか、ＧＰＳアンテナ(６)によって取得された位置情報が何れの地域を表わしているかに応じて、図３に示すテーブルから水没時の画像を読み出す。そして、図４のステップＳ８では、本実施形態の携帯電話機は、読み出した画像をディスプレイ(４)に壁紙として表示する。
以上の手続きを一定の制御周期で繰り返す。【００２２】
上記本実施形態の携帯電話機によれば、水没時には、通常の待ち受け画像が、水深、水温、及び地域に応じた画像に切り換えられるので、非水没状態から水没状態への移行を、バラエティに富んだ画像変化によって楽しむことが出来る。特に、地域毎にサーバーに登録されている画像をダウンロードする構成によれば、サーバー側で登録画像を更新することにより、多様な画像表示を楽しむことが出来る。【００２３】
尚、本発明の各部構成は上記実施の形態に限らず、特許請求の範囲に記載の技術的範囲内で種々の変形が可能である。例えば、水没時には、画像の表示と共に、その画像に応じてイルカや鯨の鳴き声を音声として出力することも可能である。
又、本発明に係る携帯型電子機器が水没する水中を特定の水中に限定するものではなく、風呂、プール、河川、海等の任意の水中であってよい。【００２４】
又、上記実施の形態では、圧力センサーが検知した圧力により水没状態か否かを判定しているが、本発明に係る携帯型電子機器では、水没を検知する手段をこの圧力センサーのような水没検知手段に限定するものではなく、その他にも、例えば、水没による電気的導通状態の変化を検知するセンサーや、水没して特性が変化する材料の特性変化を検知する手段(例えば、水没することにより光の反射率が変化する材料を用いてこの反射率の変化を検知する手段など)など、任意の水没検知手段を用いることができる。
又、本発明に係る携帯型電子機器では、水没状態を、筐体の全部が水中にある状態に限定するものではなく、筐体の一部が水中にある状態も水没状態に含まれる。【００２５】
又、上記実施の形態では、図４のステップＳ４において、水没状態を検知する圧力として１気圧を基準としたが、本発明に係る携帯型電子機器ではこの様な値に限定されるものではなく、１気圧以外の適切な値を基準とすることも出来る。【００２６】
又、本発明に係る携帯型電子機器の一実施形態では、ユーザ設定が「地域取得」の場合の画像(ＤＬ１)〜(ＤＬ８)は、上記実施の形態で示した地域特有の水中生物の画像以外にも、例えば、その地域のニュースの画像、その地域の天気予報の画像、その地域の警報の画像、その地域の時刻の画像、その地域の水中の安全地帯の情報の画像、その地域の危険地帯の情報の画像、その他これらの画像を任意に組合せた画像等、任意の画像であってもよい。この様な構成によれば、水没時にユーザに有益な情報を取得させることが出来、ユーザをより楽しませると共に、本発明に係る携帯型電子器の利便性を向上させることが出来る。【００２７】
又、上記実施の形態では、図４のステップＳ８で読み出した画像を壁紙として表示することとしたが、本発明に係る携帯型電子機器が画像を表示する形態としては、この様な壁紙として表示する形態に限定されるものではなく、その他の適切な形態で画像を表示することが出来る。【００２８】
尚、本願が優先権主張の基礎とする日本国特許出願２００７−２５０７５８の開示は、引用により本願の開示中に導入される。
【図１】
2009041607.tif 000003
【図２】
2009041607.tif 000004
【図３】
2009041607.tif 000005
【図４】
2009041607.tif 000006
【国際調査報告】
2009041607.tif 000007
2009041607.tif 000008